【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
複数の入射角から標本に照射を与える可変照明装置と；
前記標本から出る照射をフィルタ処理する光学素子と；
前記光学素子によってフィルタ処理された光に基づいて、前記標本の可変的照射による低分解能輝度画像を取得する検出器と；
フーリエ空間内の重複領域を、前記可変的照射による低分解能輝度画像で反復的に更新することによって、前記標本の高分解能画像をコンピュータ計算で再構成するためのプロセッサと
を具えていることを特徴とするフーリエ・タイコグラフィー撮像装置。
【請求項２】
前記光学素子が、低開口数の対物レンズであることを特徴とする請求項１に記載のフーリエ・タイコグラフィー撮像装置。
【請求項３】
前記低開口数の対物レンズが、約０．０２〜０．１３の開口数を有することを特徴とする請求項２に記載のフーリエ・タイコグラフィー撮像装置。
【請求項４】
前記低開口数の対物レンズが、約０．０８の開口数を有することを特徴とする請求項２に記載のフーリエ・タイコグラフィー撮像装置。
【請求項５】
前記複数の入射角における隣り合った２つの入射角どうしの差が、前記低開口数の対物レンズの開口数に対応する受光角の１０％〜９０％であることを特徴とする請求項２に記載のフーリエ・タイコグラフィー撮像装置。
【請求項６】
前記複数の入射角における隣り合った２つの入射角どうしの差が、前記低開口数の対物レンズの開口数に対応する受光角の３３％〜６６％であることを特徴とする請求項２に記載のフーリエ・タイコグラフィー撮像装置。
【請求項７】
前記複数の入射角における隣り合った２つの入射角どうしの差が、前記低開口数の対物レンズの開口数に対応する受光角の７６％未満であることを特徴とする請求項２に記載のフーリエ・タイコグラフィー撮像装置。
【請求項８】
前記可変照明装置が、発光素子の二次元マトリクスを具え、前記発光素子の各々が、前記複数の入射角のうちの１つから照射を与えることを特徴とする請求項１に記載のフーリエ・タイコグラフィー撮像装置。
【請求項９】
前記発光素子の各々が、１つ以上の発光ダイオードの組であることを特徴とする請求項８に記載のフーリエ・タイコグラフィー撮像装置。
【請求項１０】
前記発光素子の各々が、３つの準単色光源であり、
前記プロセッサが、前記３つの準単色光源に対応する高分解能画像をコンピュータ計算で再構成し、当該高分解能画像どうしを組み合わせて、カラー高分解能画像を生成することを特徴とする請求項８に記載のフーリエ・タイコグラフィー撮像装置。
【請求項１１】
前記可変照明装置が、発光素子の六角形アレイを具え、前記発光素子の各々が、前記複数の入射角のうちの１つから照射を与えることを特徴とする請求項１に記載のフーリエ・タイコグラフィー撮像装置。
【請求項１２】
前記発光素子の各々が、１つ以上の発光ダイオードの組であることを特徴とする請求項１１に記載のフーリエ・タイコグラフィー撮像装置。
【請求項１３】
前記重複領域どうしは、２０％〜９０％の面積がオーバラップすることを特徴とする請求項１に記載のフーリエ・タイコグラフィー撮像装置。
【請求項１４】
前記重複領域どうしは、２％〜９９．５％の面積がオーバラップする
ことを特徴とする請求項１に記載のフーリエ・タイコグラフィー撮像装置。
【請求項１５】
前記重複領域どうしは、約６６％の面積がオーバラップすることを特徴とする請求項１に記載のフーリエ・タイコグラフィー撮像装置。
【請求項１６】
前記プロセッサは、さらに、前記標本の合焦面に向けて自動的にリフォーカスすることを特徴とする請求項１に記載のフーリエ・タイコグラフィー撮像装置。
【請求項１７】
前記プロセッサが、前記検出器の一部分であることを特徴とする請求項１に記載のフーリエ・タイコグラフィー撮像装置。
【請求項１８】
前記高分解能画像を表示するディスプレイをさらに具えていることを特徴とする請求項１に記載のフーリエ・タイコグラフィー撮像装置。
【請求項１９】
フーリエ・タイコグラフィー撮像の方法であって、
可変照明装置を用いて、複数の入射角から標本を照射するステップと；
光学素子を用いて、前記標本から出る光をフィルタ処理するステップと；
検出器を用いて、前記標本の可変的照射による複数の低分解能輝度画像を捕捉するステップと；
前記可変的照射による低分解能輝度画像の重複領域を、フーリエ空間内で反復的に更新することによって、前記標本の高分解能画像をコンピュータ計算で再構成するステップと
を含むことを特徴とするフーリエ・タイコグラフィー撮像方法。
【請求項２０】
前記重複領域の各々が、前記光学素子の近似された光伝達関数に対応することを特徴とする請求項１９に記載のフーリエ・タイコグラフィー撮像方法。
【請求項２１】
前記可変的照射による低分解能輝度画像の重複領域を、フーリエ空間内で反復的に更新することによって、前記標本の高分解能画像をコンピュータ計算で再構成するステップが：
前記可変的照射による低分解能輝度画像の各々を、複数の可変的照射による低分解能輝度タイル画像に分割するステップと；
前記可変的照射による低分解能輝度タイル画像の重複領域を、フーリエ空間内で反復的に更新することによって、前記タイル毎に高分解能画像を復元するステップと；
前記タイルの高分解能画像どうしを組み合わせるステップと
を含むことを特徴とする請求項１９に記載のフーリエ・タイコグラフィー撮像方法。
【請求項２２】
前記高分解能画像をリフォーカスするステップをさらに含むことを特徴とする請求項１９に記載のフーリエ・タイコグラフィー撮像方法。
【請求項２３】
前記高分解能画像を自動でリフォーカスするステップをさらに含むことを特徴とする請求項１９に記載のフーリエ・タイコグラフィー撮像方法。
【請求項２４】
前記可変的照射による低分解能輝度画像の重複領域を、フーリエ空間内で反復的に更新することによって、前記標本の高分解能画像をコンピュータ計算で再構成するステップが：
(a) 現在の高分解能画像をフーリエ空間内で初期化するステップと；
(b) 前記現在の高分解能画像の重複領域をフーリエ空間内でフィルタ処理して、前記複数の入射角のうち１つの入射角について低分解能画像を生成するステップと；
(c) 前記低分解能画像の輝度を、輝度測定値に置き換えるステップと；
(d) フーリエ空間内の前記重複領域を、測定された輝度を有する前記低分解能画像で更新するステップと
を含むことを特徴とする請求項１９に記載のフーリエ・タイコグラフィー撮像方法。
【請求項２５】
前記複数の入射角について、ステップ(b)、(c)、及び(d)を実行することを特徴とする請求項２４に記載のフーリエ・タイコグラフィー撮像方法。
【請求項２６】
前記現在の高分解能画像が収束するまで、ステップ(b)、(c)、及び(d)を反復することを特徴とする請求項２４に記載のフーリエ・タイコグラフィー撮像方法。
【請求項２７】
位相係数を導入するステップをさらに含むことを特徴とする請求項１９に記載のフーリエ・タイコグラフィー撮像方法。
【請求項２８】
フーリエ・タイコグラフィー撮像の方法であって、
標本の可変的照射による複数の低分解能輝度画像を受けるステップと；
前記可変的照射による低分解能画像の重複領域を、フーリエ空間内で反復的に更新することによって、高分解能画像をコンピュータ計算で再構成するステップと
を含むことを特徴とするフーリエ・タイコグラフィー撮像方法。
【請求項２９】
前記重複領域の各々が、光学素子の近似された光伝達関数に対応することを特徴とする請求項２８に記載のフーリエ・タイコグラフィー撮像方法。
【請求項３０】
前記可変的照射による低分解能画像の重複領域を、フーリエ空間内で反復的に更新することによって、高分解能画像をコンピュータ計算で再構成するステップが：
前記可変的照射による低分解能輝度画像の各々を、複数の可変的照射による低分解能輝度タイル画像に分割するステップと；
前記可変的照射による低分解能輝度タイル画像の重複領域を、フーリエ空間内で反復的に更新することによって、高分解能画像をタイル毎に復元するステップと；
前記タイルの高分解能画像を組み合わせるステップと
を含むことを特徴とする請求項２８に記載のフーリエ・タイコグラフィー撮像方法。
【請求項３１】
前記可変的照射による低分解能画像の重複領域を、フーリエ空間内で反復的に更新することによって、高分解能画像をコンピュータ計算で再構成するステップが：
(a) 現在の高分解能画像をフーリエ空間内で初期化するステップと；
(b) 前記現在の高分解能画像の重複領域を、フーリエ空間内でフィルタ処理して、複数の入射角のうち１つの入射角について低分解能画像を生成するステップと；
(c) 前記低分解能画像の輝度を、輝度測定値に置き換えるステップと；
(d) フーリエ空間内の前記重複領域を、測定された輝度を有する前記低分解能画像で更新するステップと
を含むことを特徴とする請求項２８に記載のフーリエ・タイコグラフィー撮像方法。
【請求項３２】
ステップ(b)、(c)、及び(d)を、前記複数の入射角について実行することを特徴とする請求項３１に記載のフーリエ・タイコグラフィー撮像方法。
【請求項３３】
前記現在の高分解能画像が収束するまで、ステップ(b)、(c)、及び(d)を反復することを特徴とする請求項３１に記載のフーリエ・タイコグラフィー撮像方法。
【手続補正２】
【補正対象書類名】明細書
【補正対象項目名】００１７
【補正方法】変更
【補正の内容】
【００１７】
【図１Ａ】本発明の実施形態によるＦＰＩシステムの構成要素の概略図である。
【図１Ｂ】図１ＡのＦＰＩ装置の一部の構成要素の概略側面図である。
【図２Ａ】本発明の実施形態による、１００個の発光素子の二次元（１０×１０）マトリクス形式の可変照明装置を具えたＦＰＩ装置の概略図である。
【図２Ｂ】本発明の実施形態による、モジュール形式の構成要素を有するＦＰＩシステムの写真である。
【図２Ｃ】図２ＢのＦＰＩ装置の可変照明装置の発光素子のうち１つの写真である。
【図３】本発明の実施形態によるＦＰＩ装置の構成要素の概略側面図である。
【図４Ａ】本発明の実施形態によるＦＰＩ装置の構成要素の概略側面図である。
【図４Ｂ】本発明の実施形態によるＦＰＩ装置の構成要素の概略側面図である。
【図５Ａ】本発明の実施形態によるＦＰＩ方法の、測定プロセス（中央）及び復元プロセス（右側）の概略表現を含む図である。
【図５Ｂ】図５Ｂ(1)、５Ｂ(2)、５Ｂ(3)、５Ｂ(4)、５Ｂ(5)、５Ｂ(6)、５Ｂ(7)、５Ｂ(8)、及び５Ｂ(9)は、図５Ａにおいて紹介したＦＰＩ方法によって取得された９つの低分解能の測定結果を示す図であり、図５Ｂ(12)は、図５Ｂ(1)、５Ｂ(2)、５Ｂ(3)、５Ｂ(4)、５Ｂ(5)、５Ｂ(6)、５Ｂ(7)、５Ｂ(8)、及び５Ｂ(9)の低分解能の測定結果に関連するフーリエ空間内で更新された領域を示す図であり、図５Ｂ(10)及び５Ｂ(11)は、図５Ｂ(12)の更新から生じた高分解能の輝度及び位相の復元画像を示す図である。
【図６Ａ】本発明の実施形態によるＦＰＩシステムによって実行されるＦＰＩ方法のフローチャートである。
【図６Ｂ】本発明の実施形態による、図６Ａのステップ１５００のサブステップのフローチャートである。
【図６Ｃ】本発明の実施形態による、ＬＥＤマトリクス形式の発光素子を有するＦＰＩ装置の構成要素の概略図である。
【図６Ｄ】本発明の実施形態による、ＬＥＤマトリクス形式の発光素子を有するＦＰＩ装置の構成要素の概略図である。
【図６Ｅ】図６Ａ及び６Ｂを参照して説明したＦＰＩ方法のステップを例示する図ある。
【図６Ｆ】図６Ａ及び６Ｂを参照して説明したＦＰＩ方法のステップを他に例示する図である。
【図７Ａ】図７Ａ(1)、７Ａ(2)、７Ａ(3)、７Ａ(4)、及び７Ａ(5)は、図６Ａ及び６ＢのＦＰＩ方法を実行して生じた画像である。
【図７Ｂ】図７Ｂ(1)、７Ｂ(2)、７Ｂ(3)、７Ｂ(4)、７Ｂ(5)、及び７Ｂ(6)は、図６Ａ及び６ＢのＦＰＩ方法を、種々の異なる入射角数Ｎ（Ｎ＝５、６４、及び１３７）で実行して生じる画像である。
【図８Ａ】本発明の実施形態による、タイル撮像によるＦＰＩ方法のフローチャートである。
【図８Ｂ】本発明の実施形態による、画像ブレンディングを用いたタイル撮像によるＦＰＩ方法を実行した結果の画像である。
【図９Ａ】本発明の実施形態による、デジタル波面補正付きのＦＰＩ方法を示す図である。
【図９Ｂ】本発明の実施形態による、デジタル波面補正付きのＦＰＩ方法を実現するＦＰＩ装置の概略図である。
【図１０Ａ】本発明の実施形態による、デジタル・リフォーカシング付きのＦＰＩ方法とデジタル・リフォーカシングなしのＦＰＩ方法とを比較した、数値シミュレーションによる画像である。
【図１０Ｂ】図１０Ｂ(1)〜(16)は、本発明の実施形態によるデジタル・リフォーカシング付きのＦＰＩ方法を、図２Ｂに示すＦＰＩ装置１００(a)を用いて実行した実験結果を示す図であり、図１０Ｂ(1)は、一実施形態による、デジタル・リフォーカシング付きのＦＰＩ方法を実行するＦＰＩ装置の実験設定の概略図であり、図１０Ｂ(2)〜(16)は、図１０Ｂ(1)の実験設定による、デジタル・リフォーカシング付きのＦＰＩ方法を実行した実験結果の画像である。
【図１０Ｃ】図１０Ｃ(1)〜(7)は、図１０Ｂ(1)〜１０Ｂ(16)に関して説明した実験のより詳細な結果を含む図である。
【図１０Ｄ】図１０Ｄ(1)〜(3)は、本発明の実施形態による、デジタル・リフォーカシング付きのＦＰＩ方法とデジタル・リフォーカシングなしのＦＰＩ方法とを比較して実行した実験結果の画像である。
【図１０Ｅ】図１０Ｅ(1)、１０Ｅ(2)、１０Ｅ(3)、１０Ｅ(4)、１０Ｅ(5)、１０Ｅ(6)、１０Ｅ(7)、及び１０Ｅ(8)は、本発明の実施形態による、ＦＰＩシステムを用いて、血液塗抹標本及び病状スライド中の色収差を補正するデジタル・リフォーカシング付きのＦＰＩ方法を実行した代表的な結果を提供する図である。
【図１０Ｆ】図１０Ｆ(1)、１０Ｆ(2)、１０Ｆ(3)、１０Ｆ(4)、１０Ｆ(5)、１０Ｆ(6)、及び１０Ｅ(7)は、本発明の実施形態による、デジタル・リフォーカシング付きのＦＰＩ方法を実行するＦＰＩシステムを用いた実験結果を含む図である。
【図１１Ａ】図１１Ａ(1)は、従来型顕微鏡の２倍及び２０倍の対物レンズの両者について、病状スライドの視野を比較して例示する写真であり、図１１Ａ(2)及び１１Ａ(3)は、従来型顕微鏡における２倍対物レンズについて開口数を例示する画像であり、図１１Ａ(4)及び１１Ａ(5)は、従来型顕微鏡における２０倍対物レンズについて開口数を例示する画像であり、図１１Ａ(6)及び１１Ａ(7)は、本発明の実施形態によるＦＰＩシステムの視野及び対応する最大ＮＡを示すカラー画像である。
【図１１Ｂ】図１１Ｂ(1)〜(21)は、本発明の実施形態によるカラー撮像ＦＰＩシステムを用いて生じた画像である。
【図１１Ｃ】図１１Ｃ(1)、１１Ｃ(2)、１１Ｃ(3)、１１Ｃ(4)、１１Ｃ(5)、及び１１Ｃ(6)は、本発明の実施形態によるカラー撮像ＦＰＩシステムの画像品質を、異なる対物レンズ間で比較して示す画像である。
【図１１Ｄ】図１１Ｄ(1)〜(10)は、本発明の実施形態による、ＦＰＩ方法をカラー撮像ＦＰＩシステム１０により、病状スライド及び血液塗抹標本の両方に用いて得られた位相及びカラー画像である。
【手続補正３】
【補正対象書類名】明細書
【補正対象項目名】００４３
【補正方法】変更
【補正の内容】
【００４３】
Ｘ線放射を使用する実施形態では、例えば斜入ミラーまたはゾーンプレートのようなＸ線光学素子が必要になり得る。音響放射を使用する実施形態では、例えば音響レンズのような特別な光学素子が必要になり得る。テラヘルツ放射を使用する実施形態では、例えばテフロン（登録商標）レンズのような特別な光学素子が必要になり得る。マイクロ波放射を使用する実施形態では、例えばマイクロ波レンズアンテナのような特別な光学素子が必要になり得る。
【手続補正４】
【補正対象書類名】明細書
【補正対象項目名】００６３
【補正方法】変更
【補正の内容】
【００６３】
ＦＰＩ装置１１０(a)は、可変照明用の走査メカニズムを必要としない。他の実施形態は、走査メカニズムを含むことができる。例えば、図３のＦＰＩ装置１１０(b)は、走査メカニズムとすることができるメカニズム１５０を有する。他の例として、図４ＡのＦＰＩ装置１００(c)は、走査メカニズムとすることができるメカニズム１６０を有する。
【手続補正５】
【補正対象書類名】明細書
【補正対象項目名】００６８
【補正方法】変更
【補正の内容】
【００６８】
図４Ａでは、メカニズム１６０が、光学素子１３０(c)、放射検出器１４０(c)、及び標本２０から成るアセンブリ１７０を、静止した発光素子１１２に対して移動させて、Ｎ通りの入射角から照射を与える。メカニズム１６０は、アセンブリ１７０を平行移動及び／または回転させることができる。例えば、アセンブリ１７０を、ゴニオメーター（角度計、測角器）台上に装着することができ、このゴニオメーター台は、アセンブリ全体を発光素子１１２に対して回転させることを可能にする。可変照明装置１１０(c)は、ｘ’軸、ｙ’軸、及びｚ’軸も具えている。
【手続補正６】
【補正対象書類名】明細書
【補正対象項目名】０１３２
【補正方法】変更
【補正の内容】
【０１３２】
ステップ１６７０では、プロセッサ２１０が、高分解能の解が収束したか否かを判定する。例えば、プロセッサ２１０は、高分解能の解が自己無撞着解に収束したか否かを判定する。１つの場合には、プロセッサ２１０は、前回の反復または初期推定における前の高分解能の解を、現在の高分解能の解と比較し、その差が特定値未満であれば、この解が自己無撞着解に収束したものとする。プロセッサ２１０が、この解が収束していないものと判定した場合、ステップ１６０５〜１６７０を反復する。一実施形態では、ステップ１６０５〜１６７０を１回反復する。他の実施形態では、ステップ１６０５〜１６７０を２回以上反復する。この解が収束していれば、プロセッサ２１０は、フーリエ空間内の収束した解を空間領域に変換して、高分解能画像
（外９０）
2015535348.tif 000001
を復元する。ステップ１６７０において、この解が収束したことをプロセッサ２１０が判定した場合、プロセスは随意的ステップ１６００に進むことができる。
【手続補正７】
【補正対象書類名】明細書
【補正対象項目名】０１６０
【補正方法】変更
【補正の内容】
【０１６０】
一実施形態では、フーリエ・タイコグラフィーＸ線撮像システム１０が、図４Ａに示すＦＰＩ装置１００(c)を含み、その構成要素はＸ線放射用に構成されている。この実施形態では、ＦＰＩ装置１００(c)が、剛体アセンブリとしてステージ（例えば、ゴニオメーター・ステージ）上に装着することができるアセンブリ１７０を具え、このステージは、Ｘ線放射を指向させる静止した発光素子１１２に対して、アセンブリ１７０を平行移動及び／または回転させて、Ｘ線放射をＮ通りの入射角から標本２０に与える。ＦＰＩ装置１００(c)は、アセンブリ１７０を発光素子１１２に対して平行移動及び／または回転させるためのメカニズム１６０を具えている。このメカニズム１６０は、静止した基盤（ベース）に固定することができる。ＦＰＩ装置１００(c)は、光学素子１３０(c)及び放射検出器１４０(c)も具えている。これらの構成要素は、共にＸ線放射用に設計され、即ち、Ｘ線光学素子及びＸ線放射検出器である。Ｘ線光学素子は、例えば、マイクロ・ゾーンプレートまたは斜入射ミラーである。マイクロ・ソーンプレートは、全視野画像をＸ線放射検出器に投射することができる。Ｘ線放射検出器は、例えば、Ｘ線感光ＣＣＤとすることができる。マイクロ・ゾーンプレート及びＸ線感光ＣＣＤは、Chao, W., Harteneck, B., Liddle, A., Anderson, E., and Attwood, D., “Soft-X-ray microscopy at a spatial resolution better than 15nm”, nature, Vol. 435 (2005年6月30日)（非特許文献３５）に見出すことができ、この文献は、その全文を参照する形で本明細書に含める。この実施形態では、発光素子１１２が静止したＸ線放射源を具えることができる。
【手続補正８】
【補正対象書類名】明細書
【補正対象項目名】０１６１
【補正方法】変更
【補正の内容】
【０１６１】
他の実施形態では、フーリエ・タイコグラフィーＸ線撮像システム１０が、図４Ｂに示すＦＰＩ装置１００(d)を含むことができ、その構成要素はＸ線放射用に構成されている。この実施形態では、ＦＰＩ装置１００(d)が発光素子１１２を具え、発光素子１１２は、Ｘ線放射をＮ通りの入射角から標本２０に指向させる。例えば、発光素子１１２は、１つ以上の軸線の周りに旋回することができる。ＦＰＩ装置１００(d)は、光学素子１３０(b)及び放射検出器１４０(b)も具えている。この実施形態では、光学素子１３０(b)及び放射検出器１４０(b)をＸ線放射用に設計することができ、即ち、これらは、それぞれＸ線光学素子（例えば、マイクロ・ゾーンプレートまたは斜入射ミラー）及びＸ線放射検出器（例えば、Ｘ線感光ＣＣＤ）とすることができる。この実施形態では、発光素子１１２がＸ線放射源を具えることができる。
【手続補正９】
【補正対象書類名】明細書
【補正対象項目名】０１６４
【補正方法】変更
【補正の内容】
【０１６４】
ＩＸ．サブシステム
ＦＰＩシステム１０内にサブシステムが存在することができる。例えば、ＦＰＩシステム１０はプロセッサ２１０を含む。一部の場合には、プロセッサ２１０をＦＰＩ装置１００の構成要素とすることができる。一部の場合には、プロセッサ２１０を放射検出器１４０の構成要素とすることができる。
【手続補正１０】
【補正対象書類名】明細書
【補正対象項目名】０１６５
【補正方法】変更
【補正の内容】
【０１６５】
前に図面中に記載した種々の構成要素を、１つ以上のサブシステムを用いて動作させて、本明細書に記載した機能を促進することができる。図面中のあらゆる構成要素は、あらゆる適切な数のサブシステムを用いて、本明細書に記載した機能を促進することができる。ここでは、こうしたサブシステム及び／または構成要素を説明する。一例では、サブシステムが、システムバスを介して相互接続することができる。プリンタ、キーボード、固定ディスク（または、コンピュータ可読媒体を含む他の記憶装置）、ディスプレイ・アダプタに結合されたにディスプレイ２３０、及び他のもののような追加的サブシステムを示す。Ｉ／Ｏ（入出力）コントローラに結合される周辺装置及び入力／出力（Ｉ／Ｏ）装置は、シリアルポートのような現在技術において既知の任意数の手段によって接続することができる。例えば、シリアルポートまたは外部インタフェースを用いて、コンピュータ装置２００を、インターネットのようなワイドエリア・ネットワーク、マウス入力装置、またはスキャナに接続することができる。システムバスを介した相互接続は、プロセッサ２１０が、各サブシステムと通信して、システムメモリまたは固定ディスクからの命令の実行、並びにサブシステム間の情報の交換を可能にする。一部の場合には、システムメモリ及び／または固定ディスクが、ＣＲＭ２２０を具体化することができる。これらの要素のいずれも、前述した特徴中に存在することができる。
【手続補正１１】
【補正対象書類名】明細書
【補正対象項目名】０１６６
【補正方法】変更
【補正の内容】
【０１６６】
一部の実施形態では、ＦＰＩシステム１０のプリンタまたはディスプレイ２３０のような出力装置が、種々の形式のデータを出力することができる。例えば、ＦＰＩシステム１０は、２Ｄ（二次元）のカラー／モノクロ（単色）画像（輝度及び／または位相）、これらの画像に関連するデータ、あるいはＦＰＩシステム１０によって実行した分析に関連するデータを出力することができる。